(57)【特許請求の範囲】
【請求項１】
浴槽水を循環する管路を有し、該管路中に設けられたガス又は石油焚きの浴槽水追焚きボイラー及び浴槽水を濾過する濾過槽を具備する浴槽水保温浄化システムであって；
該追焚きボイラーに、流水スイッチ、及び、浴槽水の循環浄化運転中に定期的にポンプを停止して該流水スイッチのＯＦＦを確認するコントローラが設けられていることを特徴とする浴槽水保温循環システム。
【請求項２】
追焚きシーケンスに入ると一旦浴槽水循環ポンプを止めて該流水スイッチのＯＦＦを確認するコントローラが設けられていることを特徴とする請求項１記載の浴槽水保温循環システム。
【請求項３】
浴槽水を循環する管路を有し、該管路中に設けられたガス又は石油焚きの浴槽水追焚きボイラー及び浴槽水を濾過する濾過槽を具備する浴槽水保温浄化システムであって；
該追焚きボイラーが、追焚きボイラーの加熱水管に流れる水流を検知する流水量センサーと、回転速度可変のポンプと、このポンプの回転速度を定期的に変えて上記流水量センサーの出力チェックを行うコントローラとを具備することを特徴とする浴槽水保温循環システム。
【請求項４】
上記追焚きボイラーが風呂給湯器内に設けられており、
上記濾過槽が浴槽水浄化ユニット内に設けられている請求項１〜３いずれか１項記載の浴槽水保温浄化システム。
【発明の詳細な説明】
【０００１】
【発明の属する技術分野】
本発明は、いわゆる２４時間風呂等の浴槽水を保温・浄化する浴槽水保温浄化システムに関する。特には、風呂給湯器と浴槽水浄化システムとを連結した新しいタイプの浴槽水保温浄化システムに関する。
【０００２】
【従来の技術】
浴槽内の水を捨てないで浄化しながら何日にもわたって使用することが、最近行われるようになってきている。例えば、２４時間風呂と呼ばれるものがあり、いつでも入浴できるという快適さ・利便性の他に、節水・省エネにも貢献するという利点がある。なお、本明細書でいう２４時間風呂は、家庭用に限らず、公衆浴場や温泉、寮や老人ホームの浴場等の同種の風呂も含む。このような風呂には、浴槽水を循環浄化する浴槽水循環システムが設置されている。浴槽水循環システムは、浴槽水中のゴミ・汚れを除去するとともに細菌を殺菌して、浴槽水を清潔に保つ役割を果たす。
【０００３】
浴槽水循環系には、人体から、もしくは外界から各種雑菌が浴槽水に混入する。そのような菌の１つとして、致死性の高いレジオネラ症の原因となるレジオネラ属菌がある。本発明者は、このレジオネラ属菌の殺菌をも行うことのできる、風呂給湯器と浴槽水浄化ユニットとを融合させた浴槽水保温循環システムについて先に出願（整理番号ＫＰ５０９、平成８年５月１３日出願）した。
【０００４】
図２は、当該先の出願の一実施例に係る浴槽水保温浄化システムの構成を示す系統図である。
図２の浴槽水保温循環システムにおける追焚き中の浴槽水の循環経路は、浴槽７→送受水口１１→戻り配管１３→風呂給湯器３内の追焚きボイラー１５に入り、配管１４→ポンプ１７→流水スイッチ１９→ヒレ付水管２３→配管２５→水量調整弁２７→追焚きサーミスタ２９→追焚きボイラー１５から出て、配管３１→浄化ユニット５に入り、配管３３→ポンプ３５→配管３７→紫外線ランプ４１→三方弁４３→配管４５→濾過槽４９→配管５１→三方弁５３→配管５５→浄化ユニット５から出て、往き配管５７→送受水口１１→浴槽７である。
【０００５】
追焚きボイラー１５中のポンプ１７は、浴槽水をヒレ付水管２３に押し込むためのものである。流水スイッチ１９は、追焚きボイラー１５の空焚きを防止するセンサである。ヒレ付水管２３は、その外面に多数のヒレ（フィン）を有し、フィンにガスバーナーの炎や燃焼排ガスを受けて、管内の水を加熱する。ガスバーナー２１には、ガス比例弁２０（燃料流量制御手段）からガスが送られる。ヒレ付水管２３の出側の水量調整弁２７（浴槽水流量制御手段）は、追焚きボイラー１５を通過する浴槽水の流量をコントロールする。追焚きサーミスタ２９は追焚きボイラー出側の浴槽水温度を検出する。なお、ガス比例弁２０と水量調整弁２７は併設されていてもよいし、どちらか一つだけ設けられていてもよい。
【０００６】
特に殺菌用の高温追焚きを行う場合の追焚きボイラー１５における追焚き温度制御は次のように行う。このときは、追焚きボイラー１５出側の温度（追焚き温度）は６５℃以上とする必要がある。これを達成するための手段の一つが水量調整弁２７である。例えば、定格ガス流量がガスバーナー２１に供給されたときに浴槽水温度を６５℃以上にできる（浴槽内の温度は標準温度、例えば４０℃）水量が流れるように、水量調整弁２７を予め調整しておく。
【０００７】
追焚き温度の制御の第二の方法は、ガスバーナー２１への供給ガス量をコントロールする方法である。この例ではガス比例弁２０により、追焚きサーミスタ２９部での浴槽水温度が６５℃以上となるようガス流量をコントロールしている。
【０００８】
風呂給湯器３内に追焚きボイラー１５と並んで収められている給湯ボイラー７０は、お湯をシャワーや浴室内の水栓、さらには洗面所、台所等へと供給するものである。すなわち、配管７１から水が入り、水量センサ７３→ヒレ付水管７７→給湯管７９→給湯管８３と進む。配管８１は、ぬるめ混合用の水を供給するものである。配管８２は、浴槽７への差し湯用であり、注湯電磁弁８４によって開閉される。
【０００９】
図２の浴槽水保温循環システムの風呂給湯器３以外の部分について説明する。送受水口１１には粗フィルターが付いており、髪の毛のような大形のゴミはここでキャッチされる。浴槽水浄化ユニット５内の紫外線ランプ４１は、浴槽水に紫外線を照射して殺菌するものである。濾過槽４９は、濾過材（メッシュやビーズ等）を内蔵しており、浴槽水中の小さなゴミ、垢、油分等を除去する。
【００１０】
濾過槽４９前後には三方弁４３及び５３が設けられている。これらの三方弁を切り替えることにより、濾過槽４９の逆洗（水の流れは配管３９→三方弁５３→配管５１→濾過槽４９→配管４５→三方弁４３→配管４７）を行えるようになっている。なお、三方弁で黒く塗りつぶされたポートは閉、白抜きのポートは開を表す。
【００１１】
図２の浴槽水保温浄化システム１は、コントローラ９１によってコントロールされている。高温追焚き時においては、コントローラ９１は、風呂給湯器のコントローラ９５及び浄化ユニット９３のコントローラを通じて、追焚きボイラー１５内のポンプ１７、ガスバーナー２１、ガス比例弁２０（又は水量調整弁２７）、及び浄化ユニット５内のポンプ３５、三方弁４３、５３等をコントロールする。なお、各コントローラ間は通信手段で結ばれている。
【００１２】
【発明が解決しようとする課題】
ところで、従来の一般的な風呂給湯器では、図３に示す追焚き開始時の空焚き防止確認シーケンスを行っていた。このシーケンスでは、ポンプ停止（ＯＦＦ）時には、３０分毎に風呂流水スイッチのＯＦＦを確認し（１０１）、同スイッチがＯＦＦでなければ、流水スイッチ故障のエラー表示を行う。流水スイッチＯＦＦ確認できれば、流水スイッチが正常と見て、ポンプ起動（ＯＮ）可能（１０２）としていた。
【００１３】
そして、ポンプＯＮ後、風呂温度が設定温度以下か否かをチェックし（１０３）、ＮＯであれば追焚き不要と判断してメインルーチンへ戻り、ＹＥＳであれば追焚き要と判断して、流水スイッチＯＮ確認（１０４）後、追焚きボイラーの点火動作（１０５）を行い追焚き（１０６）を開始していた。なお、上述のステップ１０４において流水スイッチＯＮを確認できなければエラー表示を行っていた。
【００１４】
ところが、図２のような浄化ユニット５と給湯器３を連結した浴槽水保温循環システムを組んだ場合、浴槽水の浄化循環中は、流水スイッチ１９が常時ＯＮとなっているため、上述の追焚きボイラーの空焚き防止確認シーケンスを行うことができないことが判明した。
【００１５】
本発明は、いわゆる２４時間風呂等の浴槽水を保温・浄化する浴槽水保温浄化システムであって、風呂給湯器と浴槽水浄化システムとを連結した新しいタイプの浴槽水保温浄化システムを提供することを目的とする。
【００１６】
【課題を解決するための手段】
上記課題を解決するため、本発明に関連する浴槽水保温循環システムは、  浴槽水を循環する管路を有し、該管路中に設けられたガス又は石油焚きの浴槽水追焚きボイラー及び浴槽水を濾過する濾過槽を具備する浴槽水保温浄化システムであって；  該追焚きボイラーに、流水スイッチと電磁弁を直列に配置したバイパス管路、及び、該電磁弁を通常時閉とし、追焚きシーケンスに入ったときに該電磁弁を開として流水スイッチがＯＦＦからＯＮとなったのを確認して追焚き加熱を開始するコントローラが設けられていることを特徴とする。
流水スイッチ用のバイパス管路を設け、浴槽水浄化循環運転と関係なく流水スイッチの作動確認を行うことができるようにした。
本発明の浴槽水保温循環システムは、浴槽水を循環する管路を有し、該管路中に設けられたガス又は石油焚きの浴槽水追焚きボイラー及び浴槽水を濾過する濾過槽を具備する浴槽水保温浄化システムであって；該追焚きボイラーに、流水スイッチ、及び、浴槽水の循環浄化運転中に定期的にポンプを停止して該流水スイッチのＯＦＦを確認するコントローラが設けられていることを特徴とする。
本発明の他の浴槽水保温循環システムは、浴槽水を循環する管路を有し、該管路中に設けられたガス又は石油焚きの浴槽水追焚きボイラー及び浴槽水を濾過する濾過槽を具備する浴槽水保温浄化システムであって；該追焚きボイラーが、追焚きボイラーの加熱水管に流れる水流を検知する流水量センサーと、回転速度可変のポンプと、このポンプの回転速度を定期的に変えて上記流水量センサーの出力チェックを行うコントローラとを具備することを特徴とする。
【００１７】
【発明の実施の形態及び実施例】
図１は、本発明の一実施例に係る浴槽水保温循環システムを示す系統図である。図中図２と同じ符号で示されている部分は、図２の浴槽水保温循環システムと同様の部分である。
図１の浴槽水保温循環システムの特徴は、追焚きボイラー１５のヒレ付水管２３手前の配管１４の横にバイパス管路１４′が設けられていることである。このバイパス管路１４′中には、流水スイッチ１９と電磁弁１８が直列に接続されている。そして、流水スイッチ１９のＯＦＦ確認時のみは電磁弁１８を閉として、流水スイッチ１９部に流れる水を遮断する。
【００１８】
このような流水スイッチＯＦＦ確認の手段としては、配管系統は図２の従来のままで、浴槽水の循環浄化運転中に定期的にポンプを停止して、流水スイッチのＯＦＦを確認することとしてもよい。すなわち、ポンプ１７及び３５（なおどちらか１台はなくてもかまわない）を定期的に、あるいは追焚き前に停止して、これと連動して管路の流水スイッチがＯＦＦすることを確認するのである。
【００１９】
また、追焚きボイラーの加熱水管に流れる水流を検知する流水量センサーを有していたり、さらに、回転速度可変のポンプと、このポンプの回転速度を定期的に変えて流水量センサーを出力チェックを行ってもよい。
【００２０】
【発明の効果】
以上の説明から明らかなように、本発明の浴槽水保温循環システムは追焚きボイラーの空焚き防止の安全性を確保可能な、風呂給湯器と浴槽水浄化システムとを連結した新しいタイプの浴槽水保温浄化システムを提供できる。
【図面の簡単な説明】
【図１】本発明の一実施例に係る浴槽水保温循環システムを示す系統図である。
【図２】当該先の出願に係る浴槽水保温浄化システムの構成を示す系統図である。
【図３】従来の一般的な風呂給湯器における空焚き防止シーケンスを表すフローチャートである。
【符号の説明】
１  浴槽水保温浄化システム        ３  風呂給湯器
５  浄化ユニット                  ７  浴槽
９  浴槽水循環管路              １１  送受水口
１３  戻り配管                    １４  配管
１４′  バイパス管路              １５  追焚きボイラー
１７  ポンプ                      １８  電磁弁
１９  流水スイッチ                ２０  ガス比例弁
２１  ガスバーナー                ２３  ヒレ付水管
２５  配管                        ２７  水量調整弁
２９  追焚きサーミスタ            ３１  配管
３３  配管                        ３５  ポンプ
３７  配管                        ３９  配管
４１  紫外線殺菌ランプ            ４３  三方弁
４５  配管                        ４７  配管
４９  濾過槽                      ５０  電気ヒーター
５１  配管                        ５３  三方弁
５５  配管                        ５７  配管
７０  給湯ボイラー                ７１  給水管
７３  水量センサ                  ７５  バーナー
７７  ヒレ付水管                  ７９  給湯管
８１  給水管                      ８２  給湯管
８３  給湯管                      ８４  注湯電磁弁
９１  総合コントローラ            ９３  浄化ユニットコントローラ
９５  給湯器コントローラ
【図１】
0003691161.tif 000002
【図２】
0003691161.tif 000003
【図３】
0003691161.tif 000004